(57)【要約】  マトリクス状に配列された複数の表示セルよりなる表示パネルの該複数の表示セルよりなる複数の表示ラインの各々について表示セルを選択するための第１の複数の電極と、順次表示ラインを走査するための第２の複数の電極とよりなり、複数の表示セルの前記複数の表示ラインの走査順序を、複数の表示セルよりなる各表示ライン毎の表示に要する負荷が大きい表示ラインをより早く走査するように決定する構成である。
2007099600.tif 000002
【特許請求の範囲】
【請求項１】
複数の表示ラインの各々について入力データに基づいて表示セルを選択するための第1の電極と、順次表示ラインを走査するための第2の電極とを有し、マトリクス状に配列された複数の表示セルにより成る表示パネルと、
前記第1の電極を駆動する第1電極駆動回路と、
前記第2の電極を駆動する第2電極駆動回路と、
前記表示ライン毎の表示に要する負荷データを生成するための負荷データ生成手段と、
前記第1電極駆動回路及び前記第2電極駆動回路の動作を制御する制御回路とを有し、
前記制御回路は、前記負荷データに基づいて前記第2電極駆動回路を制御して、前記第2の電極の走査順を変更制御するようにしたことを特徴とする画像表示装置。
【請求項２】
前記制御回路は、各表示ライン毎の前記負荷データと所定値とを比較する手段を有し、
前記負荷データが前記所定値より大となる表示ラインに対応する前記第2の電極を、前記所定値より小となる表示ラインに対応する前記第2の電極よりも早く走査するように制御することを特徴とする請求項1に記載の画像表示装置。
【請求項３】
前記制御回路は、各表示ライン毎に前記負荷データの大きさに基づいて複数個のブロックに分割する手段を有し、
前記複数個のブロックの内の、負荷データが大きいブロックに属する表示ラインに対応する前記第2の電極から順に走査するように制御することを特徴とする請求項1に記載の画像表示装置。
【請求項４】
複数の表示ラインの各々について入力データに基づいて表示セルを選択するための第1の電極と、順次表示ラインを走査するための第2の電極とを有し、マトリクス状に配列された複数の表示セルにより成る表示パネルと、
前記第1の電極を駆動する第1電極駆動回路と、
前記第2の電極を駆動する第2電極駆動回路と、
前記表示パネルの温度を検出する温度検出手段と、
前記表示ライン毎の表示に要する負荷データを生成するための負荷データ生成手段と、
前記第1電極駆動回路及び前記第2電極駆動回路の動作を制御する制御回路とを有し、
前記制御回路は、前記表示パネルの温度が所定温度以上の場合に、前記負荷データに基づいて前記第2電極駆動回路を制御して、前記第2の電極の走査順を変更制御するようにしたことを特徴とする画像表示装置。
【請求項５】
前記制御回路は、前記表示パネルの温度が所定温度以下の場合に、前記表示パネルの第1表示ラインに対応する前記第2の電極から順次走査するように制御したことを特徴とする請求項4に記載の画像表示装置。
【請求項６】
前記制御回路は、各表示ライン毎の前記負荷データと所定値とを比較する手段を有し、
前記負荷データが前記所定値より大となる表示ラインに対応する前記第2の電極を、前記所定値より小となる表示ラインに対応する前記第2の電極よりも早く走査するように制御することを特徴とする請求項4乃至請求項5の何れか1項に記載の画像表示装置。
【請求項７】
前記制御回路は、各表示ライン毎に前記負荷データの大きさに基づいて複数個のブロックに分割する手段を有し、
前記複数個のブロックの内の、負荷データが大きいブロックに属する表示ラインに対応する前記第2の電極から順に走査するように制御することを特徴とする請求項4乃至請求項5の何れか1項に記載の画像表示装置。
【請求項８】
複数の表示ラインの各々について入力データに基づいて表示セルを選択するための第1の電極と、順次表示ラインを走査するための第2の電極とを有し、マトリクス状に配列された複数の表示セルにより成る表示パネルと、
前記第1の電極を駆動する第1電極駆動回路と、
前記第2の電極を駆動する第2電極駆動回路と、
前記表示ライン毎の表示に要する負荷データを生成するための負荷データ生成手段と、
前記第1電極駆動回路及び前記第2電極駆動回路の動作を制御する制御回路とを有する画像表示装置の画像表示方法であって、
前記制御回路により、前記負荷データに基づいて前記第2電極駆動回路を制御して、走査順を変更制御して前記第2の電極を駆動するようにしたことを特徴とする画像表示方法。
【請求項９】
各表示ライン毎の前記負荷データと所定値とを比較し、前記負荷データが前記所定値より大となる表示ラインに対応する前記第2の電極を、前記所定値より小となる表示ラインに対応する前記第2の電極よりも早く走査することを特徴とする請求項8に記載の画像表示方法。
【請求項１０】
各表示ライン毎に前記負荷データの大きさに基づいて複数個のブロックに分割し、
前記複数個のブロックの内の、負荷データが大きいブロックに属する表示ラインに対応する前記第2の電極から順に走査することを特徴とする請求項8に記載の画像表示方法。
【請求項１１】
複数の表示ラインの各々について入力データに基づいて表示セルを選択するための第1の電極と、順次表示ラインを走査するための第2の電極とを有し、マトリクス状に配列された複数の表示セルにより成る表示パネルと、
前記第1の電極を駆動する第1電極駆動回路と、
前記第2の電極を駆動する第2電極駆動回路と、
前記表示パネルの温度を検出する温度検出手段と、
前記表示ライン毎の表示に要する負荷データを生成するための負荷データ生成手段と、
前記第1電極駆動回路及び前記第2電極駆動回路の動作を制御する制御回路とを有する画像表示装置の画像表示方法であって、
前記制御回路により、前記表示パネルの温度が所定温度以上の場合に、前記負荷データに基づいて前記第2電極駆動回路を制御して、前記第2の電極の走査順を変更するようにしたことを特徴とする画像表示方法。
【請求項１２】
前記表示パネルの温度が所定温度以下の場合に、前記表示パネルの第1表示ラインに対応する前記第2の電極から順次走査することを特徴とする請求項11に記載の画像表示方法。
【請求項１３】
各表示ライン毎の前記負荷データと所定値とを比較し、前記負荷データが前記所定値より大となる表示ラインに対応する前記第2の電極を、前記所定値より小となる表示ラインに対応する前記第2の電極よりも早く走査するように制御することを特徴とする請求項11乃至請求項12の何れか1項に記載の画像表示方法。
【請求項１４】
各表示ライン毎に前記負荷データの大きさに基づいて複数個のブロックに分割し、前記複数個のブロックの内の、負荷データが大きいブロックに属する表示ラインに対応する前記第2の電極から順に走査するように制御することを特徴とする請求項11乃至請求項12の何れか1項に記載の画像表示方法。
【発明の詳細な説明】
【技術分野】
【０００１】
本発明は画像表示装置及び画像表示方法に係り、特にマトリクス状に配列された複数の表示セルよりなる表示パネルを構成する複数の表示ラインの各々について、表示セルを選択するための第１の複数の電極と、順次表示ラインを走査するための第２の複数の電極とよりなる画像表示装置及びその画像表示方法に関する。
【背景技術】
【０００２】
今日平面型の画像表示装置として面放電を行うプラズマディスプレイパネル（Ｐ１ａｓｍａ  Ｄｉｓｐｌａｙ  Ｐａｎｅ１）を使用したプラズマディスプレイ装置が実用化されている。これは、例えば、パーソナルコンピュータやワークステーション等のディスプレイ装置、平面型の壁掛けテレビジョンおよび広告や情報等を表示するための装置として使用されている。また、携帯電話やＰＤＡ（Ｐｅｒｓｏｎａ１  Ｄｉｇｉｔａｌ  Aｓｓｉｓｔａｎｔｓ）の表示装置としてＥＬパネル等の平面型の画像表示装置も利用されている。【０００３】
これらのプラズマディスプレイ装置およびＥＬパネル等の平面型の画像表示装置は、複数の画素を構成する表示セルを有する表示パネルにおける走査方向の1ラインの画素に対して共通の駆動電極で駆動するようになっている。なお、本発明は、走査方向の1ラインの画素に対して共通の駆動電極で駆動する画像表示装置に限定されず、複数の画素を有する表示パネルにおける所定数の画素毎に共通の駆動電極で駆動する画像表示装置や所定の表示領域毎を共通の駆動電極で駆動する画像表示装置であってもよい。【０００４】
図1は従来の画像表示装置の一例としてのプラズマディスプレイ装置を概略的に示すブロック図であり、三電極面放電ＡＣ型プラズマディスプレイ装置の一例を示すものである。【０００５】
図1において、参照符号１は画像表示装置（プラズマディスプレイ装置）、２は表示パネル（プラズマディスプレイパネル）、３はアドレスデータドライバ回路部、４はXドライバ回路部、５はＹドライバ回路部、そして７は制御回路部を示している。【０００６】
このように図１のプラズマディスプレイ装置１は、プラズマディスプレイパネル２と、該プラズマディスプレイパネル２の各表示セルを駆動するためのＸドライバ回路部４，Ｙドライバ回路部５及びアドレスデータドライバ回路部３と、これら各ドライバ回路部３乃至５を制御する制御回路部７とを備えている。【０００７】
制御回路部７は、例えば、TVチューナやコンピュータ等の外部装置からのR（赤），G（緑），B（青）の３原色の映像信号が入力される表示データ制御部７１、及び各種の同期信号（ドットクロック信号ＣＬＫ，プランキング信号ＸＢＬＡＮＫ，水平同期信号ＸＨｓｙｎｃ，垂直同期信号ＸＶｓｙｎｃ）が入力されるタイミング発生部7 2を備えている。【０００８】
そして制御回路部７（表示データ制御部７１およびタイミング発生部７２）は、上記映像信号（R，G，B）および各種の同期信号（ＣＬＫ，ＸＢＬＡＮＫ，ＸＨｓｙｎｃ，ＸＶｓｙｎｃ）から、それぞれのドライバ回路部３乃至５に適した制御信号を出力して所定の画像表示を行うようになっている。【０００９】
なお、たとえば後述するサブフレーム方式による階調表示を行うため、1フレームを、それぞれ所定の輝度の重みを有する複数のサブフレームの組み合わせに変換する動作は、表示データ制御部７１において行われる。【００１０】
図２は従来の画像表示装置における課題を説明するための図である。【００１１】
図２は一例として、横１０２４ドット、縦７６８ドットの表示パネルに対するある表示サブフレームにおいて、１乃至２００番目の表示ラインには横１／４のみ白表示、２０１乃至４００番目の表示ラインには横１／２のみ白表示、４０１乃至７６８番目の表示ラインには横全体を白表示する場合を示している。【００１２】
従来のプラズマディスプレイ装置では、例えば初期化放電（図７中、リセット期間）の後のアドレス期間において、走査電極Ｙ１に走査電圧を印加し、アドレス電極Ａ１乃至Ａ１０２４中の選択されたものにアドレス電圧を印加して表示ラインの1ライン目のアドレス駆動を行う。【００１３】
次に２ライン目、３ライン目と順次走査して７６８番目の表示ラインまでのアドレス駆動を行う。【００１４】
その後のサステイン期間において、全てのＸ／Ｙ電極に放電維持電圧パルスを印加することにより、このようにアドレス駆動された表示セルのみついて維持放電させて表示を行う。このような表示方法は公知のサブフレーム方式（ＡＤＳサブフレーム法）による階調表示方式によるものである。【００１５】
このような態様で表示を行う場合、１乃至２００番目の表示ラインのアドレス駆動では、表示ラインＩＣブロック毎に、同時に２５６×３セルのアドレス放電が発生する。この場合上記の如く１／４幅のみの白表示のため、各ドライバ回路部４，５の出力インピーダンス及びプラズマディスプレイパネル２のＹ電極抵抗による走査電圧の電圧降下は比較的小さい。【００１６】
他方２０１乃至４００番目の表示ラインのアドレス駆動（１／２幅の白表示）では同時に５１２×３セルのアドレス放電を行うため、ドライバ回路部４，５及びプラズマディスプレイパネル２のＹ電極抵抗による走査電圧の電圧降下がやや大きい。【００１７】
更に４０１乃至７６８番目の表示ラインのアドレス駆動（全範囲白表示）では同時に１０２４×３セルのアドレス放電が発生するため、各ドライバ回路部４、５及びプラズマディスプレイパネル２のＹ電極抵抗による走査電圧の電圧降下が大きくなる。このような状態ではアドレスミスが発生しやすくなる場合がある。【００１８】
また、図７のアドレス期間におけるアドレス放電においては、それに先立つリセット期間における初期化放電の効果が大きい。すなわち周知の如く初期化放電の直後は所謂種火効果が大きいことにより放電しやすい。逆に、初期化放電から時間が経過するほどアドレス放電がし難くなる。【００１９】
ここで図２の表示例のように、走査順番の遅いプラズマディスプレイパネル２の下部の表示領域で表示負荷が大きい場合（全範囲白表示）を考えと、同領域では表示負荷が大きいことに加え、更に初期化放電による種火効果が小さいことになる。その結果当該下部表示領域ではアドレス放電の困難さが増し、もって最もアドレスミスが発生しやすい状態となる。ここでアドレスミスとは、アドレス期間中に本来表示すべき表示セルの正常にアドレス放電がなされず、これに続くサステイン期間において正常に維持放電がなされず、もって該当する画素が欠けてしまう状態を指す。【００２０】
各ドライバ回路部４．５のインピーダンス及びプラズマディスプレイパネル２の電極抵抗を低下させることによってその電圧降下を低減させ上記問題点を解決する方法が考えられる。しかしながらドライバ回路部４、５のインピーダンス及びプラズマディスプレイパネル２の電極抵抗を低下させようとすると、一般に製品のコストが増大する傾向にある。【００２１】
またアドレス駆動に先立って行うリセット放電の効果を増大させて上記種火効果を大きくする方法もある。しかしながらこの方法を適用した場合、一般にプラズマディスプレイパネル２の背景輝度が高くなり、コントラストが低下し、表示品質が低下する傾向にある。
【特許文献１】特開平１１−２８２３９８号公報
【発明の開示】
【発明が解決しようとする課題】
【００２２】
本発明は上記問題点に鑑み、製品のコストを実質的に増大させることなく、表示品質を維持しながらアドレス放電におけるアドレスミスの生じやすい状況を回避し得る構成の画像表示装置及び画像表示方法を提供することを目的とする。
【課題を解決するための手段】
【００２３】
上記目的の達成のため本発明では、表示パネルを構成する複数の表示セルよりなる複数の表示ラインの走査順序を、各表示ライン毎の表示に要する負荷が大きい表示ラインをより早く走査するようにした。【００２４】
或いは各表示ラインの走査順序を、各表示ライン毎の表示に要する負荷が所定の値より大きい表示ラインをより早く走査するようにした。【００２５】
或いは複数の表示ラインをその駆動回路毎に複数のグループに分割し、各表示ラインの走査順序を、各表示ライン毎の表示に要する負荷が大きい表示ラインのグループをより早く走査するようにした。【００２６】
或いは複数の表示ラインをその駆動回路毎に複数のグループに分割し、各表示ラインの走査順序を、各表示ライン毎の表示に要する負荷が所定の値より大きい表示ラインのグループをより早く走査するようにした。【００２７】
このような構成では、各表示ライン毎の表示に要する負荷の大きさに応じて走査順序を制御する。その結果、表示に要する負荷が大きい表示ラインは表示に要する負荷が小さい表示ラインより早く走査される。【００２８】
上記の如く表示ラインの走査を早くすることにより当該表示ラインは初期化放電の影響をより大きく受けることができる。したがって表示に要する負荷が大きい表示ラインを早く走査することで大きい初期化放電の効果を与え、もってアドレス放電が確実になされるようにし得る。したがって表示に要する負荷が大きい表示ラインの領域（たとえば図２の最下領域：４０１乃至７６８番目の表示ライン）においてもアドレスミスが生じやすい状況が回避し得る。
【発明の効果】
【００２９】
このように本発明によれば表示に要する負荷が大きい表示ラインに対し初期化放電の効果をより多く与える構成とすることにより、表示パネル全体に亘ってアドレス放電が困難となり得る領域を無くし、アドレスミスが生じやすい状況を確実に回避し得る。
【図面の簡単な説明】
【００３０】
【図１】従来の画像表示装置の一例としてのプラズマディスプレイ装置を概略的に示すブロック図である。
【図２】従来の画像表示装置における問題点を説明するための図である。
【図３】本発明の一実施例による画像表示装置としてのプラズマディスプレイ装置を概略的に示すブロック図である。
【図４】本発明の一実施例によるプラズマディスプレイパネルの駆動方法を説明するための図である。
【図５】本発明の一実施例による画像表示装置としてのプラズマディスプレイ装置における表示制御方法の一例の処理フローチャートである。
【図６】本発明の一実施例による画像表示装置としてのプラズマディスプレイ装置における表示制御方法の他の例の処理フローチャートである。
【図７】サブフレーム方式の階調表示方式について説明するための図である。
【図８】図７に対応する図であって、本発明の一実施例によるプラズマディスプレイパネルの駆動方式を説明するための図である。
【図９】本発明の変形例によるプラズマディスプレイパネルの駆動方法を説明するための処理フローチャートである。
【符号の説明】
【００３１】
２  プラズマディスプレイパネル
３  アドレスデータドライバ回路部
４  Ｘドライバ回路部
５  Ｙドライバ回路部
２Ｓ，４Ｓ，５Ｓ  センサ
７  制御回路部
８  信号処理回路部
【発明を実施するための最良の形態】
【００３２】
以下図と共に本発明の実施例について説明する。【００３３】
図３は本発明に係る画像表示装置の一実施例としてのプラズマディスプレイ装置を概略的に示すブロック図であり、三電極面放電AC型プラズマディスプレイ装置の一例を示すものである。【００３４】
図３において、参照符号１０は画像表示装置、２は表示パネル（プラズマディスプレイパネル）、３はアドレスデータドライバ回路部、４はＸドライバ回路部、５はＹドライバ回路部、７は制御回路部、８は信号処理回路部をそれぞれ示している。【００３５】
図３に示す本発明の実施例によるプラズマディスプレイ装置１０は図１とともに前述した従来のプラズマディスプレイ装置１に対し、信号処理回路部８が付加されている。【００３６】
すなわち本発明の実施例によるプラズマディスプレイ装置１０は、プラズマディスプレイパネル２と、該プラズマディスプレイパネル２の各表示セルを駆動するためのＸドライバ回路部４、Ｙドライバ回路部５、アドレスデータドライバ回路部３と、これら各ドライバ回路部３〜５を制御する制御回路部７と、信号処理回路部８とを備えている。【００３７】
制御回路７は外部より入力されるクロック信号ＣＬＫ、表示データＲ，Ｇ，Ｂ、垂直同期信号ＸＶｓｙｎｃ、水平同期信号ＸＨｓｙｎｃ等に応じてパネル駆動を制御するための制御信号を生成する。【００３８】
具体的には、表示データ制御部７１が、表示データＲ，Ｇ，Ｂを受け取り、クロックＣＬＫに同期して表示データＲ，Ｇ，Ｂに応じたアドレス制御信号を生成する。アドレス制御信号は、アドレスデータドライバ回路部３に供給される。【００３９】
またタイミング発生部７２は必要なクロック信号を生成し、各ドライバ回路部３〜５に供給する。【００４０】
アドレスデータドライバ回路部３は、表示データ制御部７１からのアドレス制御信号に応じて動作し、表示データに対応したアドレス電圧パルスをプラズマディスプレイパネル２の各アドレス電極に印加する。【００４１】
Ｙドライバ回路部５は表示データ制御部７１からの走査制御信号に応じて動作し、各走査電極（Ｙ電極Ｙ１，Ｙ２，...，Ｙ７６８）を独立して駆動する。Ｙドライバ回路部５が各走査電極（Ｙ電極）を順次駆動しながら、アドレスデータドライバ回路部３がアドレス電圧パルスを各アドレス電極に印加することにより、表示を行う表示セルを選択し、各表示セル（画素）の表示・不表示（選択／非選択）を制御する。【００４２】
またＹドライバ回路部５によりプラズマディスプレイパネル２のＹ電極に維持電圧パルスを印加し、Ｘドライバ回路部４によりプラズマディスプレイパネル２のＸ電極Ｘ１，Ｘ２，...，Ｘ７６８に維持電圧パルスを印加する。維持電圧パルスを印加することで、表示を行うものとして選択された表示セルにおいて、Ｘ電極とＹ電極との間に維持放電を発生させる。【００４３】
また周知の如くプラズマディスプレイパネル２の駆動期間はリセット期間、アドレス期間、及びサステイン期間とから主に構成される（図７参照）。リセット期間において各表示画素の初期化を行い、次のアドレス期間において表示する画素を選択し、最後のサステイン期間において選択された画素を発光させる。【００４４】
まずリセット期間においては、走査電極であるＹ電極と共通Ｘ電極とに対して所定の初期化電圧を印加することで、全ての表示セルの状態を一斉に初期状態に設定する。即ち、前回表示を行った表示セルも表示を行わなかった表示セルも、同一の状態に初期化される。この動作を初期化放電と称する。【００４５】
アドレス期間においては、走査電極であるＹ電極に順次走査電圧パルスを印加していくことで、Ｙ電極を順次一本ずつ走査する。各Ｙ電極への走査電圧パルスの印加に同期させて、各アドレス電極に対し所定のアドレス電圧パルスを印加する。これにより、各走査ライン上の表示画素の選択を行う。この動作をアドレス駆動と称する。【００４６】
次のサステイン期間においては、全ての走査電極と共通Ｘ電極に対し、所定の電圧レベルを有するサステインパルス（維持電圧パルス）を交互に印加する。これにより、アドレス期間で選択された画素を発光させ、サステインパルスを連続印加することにより所定輝度での表示を行なう。【００４７】
このような一連の駆動波形の基本動作を組合せて発光回数を制御することにより、濃淡の階調表示を行う。このような方式はサブフレーム方式による階調表示方式と呼ばれる（特許文献１参照）。【００４８】
この方式では、各サブフレームは、上記の如く、リセット期間、アドレス期間、及びサステイン期間（維持駆動期間）から構成される。異なるサブフレーム間で、リセット期間とアドレス期間とについては略同一の駆動を行うが、サステイン期間についてはサブフレーム毎にサステインパルス数が異なるように設定されている。この異なるサステインパルス数を有するサブフレームの組み合せにより、任意の階調表示を行なう。なお一セットのサブフレームの組合せをフレームと称する。【００４９】
上記信号処理回路部８は、共通の駆動電極毎に駆動される所定数の画素毎または所定の表示領域毎に、表示される画像のデータ書き込み時の走査順を制御する機能を有する。【００５０】
この信号処理回路部８は、例えばＴＶチューナーやコンピューター等の外部装置からのＲ（赤）、Ｇ（緑）、Ｂ（青）の３原色の影像信号が入力される。また信号処理回路部８はデータメモリ部８１及びＹライン負荷算出／走査順決定部８２を有する。データメモリ部８１は表示のための各サブフレームの表示データを格納する。【００５１】
Ｙライン負荷算出／走査順決定部８２は、上記データメモリ部８１に格納されたの各サブフレームの表示データからＹライン負荷を算出し、プラズマディスプレイパネル２への書き込み走査順を決定する。【００５２】
決定された走査順はデータメモリ部８１と制御回路部７とに出力される。ここで上記「Ｙライン」とは図３中、プラズマディスプレイパネル２の横方向に、走査ラインに対応して延在するＹ電極Ｙ１，Ｙ２，...，Ｙ７６８、すなわち走査電極を意味する。そして「Ｙライン負荷」とは、表示ライン毎の、表示に要する負荷を意味し、具体的には表示する表示セル数の算出により得る。【００５３】
すなわちＹライン負荷算出／走査順決定部８２は各表示サブフレーム毎に、表示を行うためにアドレス駆動において選択する表示セル数を、Ｙ電極毎に算出する。そしてこのように算出された、表示を行う表示セル数に対応した順番となるよう、プラズマディスプレイパネル２の表示ラインの走査順を決定する。【００５４】
決定された表示ラインの走査順はデータメモリ部８１に通知される。データメモリ部８１からは、この表示ラインの走査順に対応する順番でアドレスデータが表示データ制御部７１へ出力される。【００５５】
上記表示ラインの走査順の決定は、例えば、図５とともに後述の如く、各表示ライン上の表示を行う表示セル数、すなわちアドレス駆動される表示セル数が多い順番に走査するように決定する。或いは図６とともに後述の如く、表示セルまたは表示ラインを幾つかのブロックに分類し、表示セル数の多いブロックの順に走査する方法を採用することも可能である。【００５６】
図４は本発明の一実施例によるプラズマディスプレイパネルの駆動方法の処理例を説明するための図である。【００５７】
図２とともに上述した例と比較した場合、表示ラインの走査（アドレス）順が異なっている。【００５８】
即ち図４の場合、ライン負荷算出／走査順決定部８２は以下の如くに表示ラインの走査順を決定する。すなわち、４０１乃至７６８番目の表示ライン（すなわちＹ電極Ｙ４０１乃至Ｙ７６８）が最も表示を行う表示セル数が多い（たとえば全幅に亘り白表示）。したがってこれらの表示ラインについては最も早いタイミングでアドレス駆動のための走査を行うようにする。【００５９】
２０１乃至４００番目の表示ラインが次に表示を行う表示セル数が多い（１／２幅分の白表示）。したがってこれらの表示ラインについては次に早いタイミングでアドレス駆動の走査を行うようにする。【００６０】
１乃至２００番目の表示ラインが表示を行う表示セル数が最も少ない（１／４幅分の白表示）。したがってこれらの表示ラインについては最も遅いタイミングでアドレス走査を行うようにする。【００６１】
この場合表示データ制御部７１では、ライン負荷算出／走査順決定部８２からの制御信号に基づいて図８に示す如く、当該サブフレームにつき以下の如くに表示データ制御を行う。【００６２】
すなわち表示データ制御部７１では、リセット期間において初期化放電を行った後、アドレス期間において、Ｙ４０１、Ｙ４０２、Ｙ４０３、・・・、Ｙ７６８の順番にＹ電極に対しアドレス駆動のための走査電圧を印加する。そしてタイミング発生部７２から供給されるタイミング信号による走査タイミングに同期して対応する表示ライン４０１、４０２、４０３、・・・、７６８の順番でアドレスデータパルスをアドレス電極Ａ１乃至Ａ１０２４に印加してアドレス駆動を行う。その結果４０１乃至７６８番目の表示ラインのアドレス駆動が最初に完了する。【００６３】
次に、Ｙ２０１、Ｙ２０２、・・・、Ｙ４００の順番でＹ電極にアドレス駆動のための走査電圧を印加し、上記同様にして走査タイミングに同期して対応する表示ライン２０１、２０２、・・・、４００の順番でアドレスデータパルスをアドレス電極に印加してアドレス駆動を行う。このようにして２０１乃至４００番目の表示ラインのアドレス駆動が次に完了する。【００６４】
最後にＹ1、Ｙ２、・・・、Ｙ２００の順番でＹ電極にアドレス駆動のための走査電圧を印加し、上記同様にして走査のタイミングに同期して対応する表示ライン１、２、・・・、２００の順番でアドレスデータパルスをアドレス電極に印加してアドレス駆動を行う。このようにして当該サブフレームについて表示ライン１乃至７６８、すなわちプラズマディスプレイパネル２全体のアドレス駆動が完了する。【００６５】
このようにしてアドレス期間において当該サブフレームについてのアドレス駆動が完了すると、引き続くサステイン期間において、全Ｘ−Ｙ電極間に所定の放電維持電圧を所定のパルス数だけ印加する。このことにより、上記の如くアドレス期間中にアドレス駆動された表示セルが所定の輝度で表示放電される。【００６６】
このようにして当該サブフレームの処理が完了する。このようにして一フレームを構成するそれぞれのサブフレームについての表示処理が実行され、当該フレームについての表示処理が完了する。その後、次のフレームについて表示処理が開始される。【００６７】
図４の表示例の場合、表示ライン毎の表示を行う表示セル数が最も多い（全幅分の白表示）４０１乃至７６８番目の表示ラインについて考えると、これらの表示ラインではアドレス期間において、多くの表示セルをアドレス駆動する必要がある。このため当該アドレス駆動のため各電極に印加する走査電圧の電圧降下が大きくなる。【００６８】
ここで図２とともに上述の如く表示ラインの上部から順番にアドレス駆動を実施する方式を採った場合、これら４０１乃至７６８番目の表示ラインのアドレス駆動はリセット時の初期化放電から最も時間が経過したタイミングで行われることになる（図７参照）。そのため表示セルの確実なアドレス駆動が困難となる場合があり、比較的アドレスミスが発生しやすい状況といえる。【００６９】
これに対し図４，図８とともに上述の本発明の実施例によるプラズマディスプレイパネルの駆動方法によれば、これら表示ライン当たりの表示を行う表示セル数が最も多い４０１乃至７６８番目の表示ラインにつき、該当するサブフレームのアドレス期間の最初にアドレス駆動する。その結果これら表示ラインについてのアドレス駆動時、当該サブフレーム開始時のリセット放電による種火効果が比較的大きい状態である。その結果、これらの表示ライン上では駆動する表示セルが多いことによりアドレス駆動時の走査電圧の電圧降下が大きいにも関わらず、アドレスミスの発生を極力低減可能である。【００７０】
このように本発明の実施例によれば、表示を行う表示セルが多い表示ラインのアドレス駆動のタイミングを早くするように制御する。このため、これらの表示ラインのアドレス駆動のタイミング遅れと走査電圧の電圧降下増大によるアドレスミスの発生を回避する目的でＹドライバ回路部５のインピーダンス或いはプラズマディスプレイパネル２の電極の電気抵抗を低下させる等の対策を不要とし得る。したがって製品のコスト増が回避可能となる。【００７１】
また、同じくこれらの表示ラインのアドレス駆動タイミングの遅れと走査電圧の電圧降下増大によるアドレスミスの発生を回避する目的でリセット放電を強化して種火効果を大きくする必要が無くなる。その結果リセット放電強化によるコントラスト低下を回避し得る。【００７２】
図５は本発明の実施例によるプラズマディスプレイパネルの駆動方式の一例の処理の流れを説明するための図である。【００７３】
まずデータメモリ部８１に蓄積されたサブフレーム表示データから各表示ラインの表示を行う表示セル数を算出する（ステップＳ１，Ｓ２）。表示に要する負荷が大きい表示ラインから順にアドレス駆動するためである。【００７４】
すなわちＹライン負荷算出／走査順決定部８２はデータメモリ８１から得た表示データから各表示ライン毎に表示を行う表示セル数を算出する（ステップＳ２）。そして表示を行う表示セル数が多い表示ラインから順番に走査を行うべく、表示ラインの走査順を決定する。そしてデータメモリ部８１に対し、決定された走査順にしたがって表示データを出力するべき旨の制御信号を送る（ステップＳ３）。これを受けたデータメモリ部８１は格納されている表示ラインのデータを制御信号で指示された走査順にしたがって表示データ制御部７１へ出力する（ステップＳ５）。【００７５】
表示データ制御部７１は決定された走査順にしたがってＹドライバ回路部５を通じてＹ電極に走査電圧を印加する（ステップＳ４）。また表示データ制御部７１ではこれに同期し、与えられた表示データにしたがって走査される表示ラインに対応してアドレスデータドライバ回路部３を駆動し所定のアドレス電極にアドレス電圧を印加する。【００７６】
このようにして、上記決定された走査順にしたがってプラズマディスプレイパネル２上の表示ラインが順次アドレス駆動されることになる（ステップＳ６）。【００７７】
なおこの場合上記の如く、各サブフレーム毎に表示ライン毎の負荷、すなわち表示を行う表示セル数を算出し、その多い順に走査すべく走査順を決定する。このため、表示ラインの走査順が非常に頻繁に切り換わることになる。しかしながらこの方法により、アドレス駆動時の走査放電による走査電圧の電圧降下が大きくなるような、表示を行う表示セル数が大きい表示ラインほどリセット放電の直後に走査されることとなる。その結果走査電圧の電圧降下によるアドレス放電ミスの発生を効果的に減少させることが可能となる。【００７８】
図６は本発明の実施例によるプラズマディスプレイパネルの駆動方式の他の例の処理の流れを示す図である。【００７９】
この例ではサブフレーム表示データの各表示ライン毎の表示を行う表示セル数を算出した後、その値Ｐに基づき、各表示ラインを、以下の４ブロックＡ，Ｂ、Ｃ及びＤに分類する。この例では、プラズマディスプレイパネル２のＹ電極７６８本のそれぞれに対応する７６８個の表示ラインは、表示に要する負荷の大小により４ブロックに分割されている。これらを「表示ライン負荷ブロック」と称する。データメモリ部８１に格納されたサブフレーム表示データに基づき、該当する表示ラインにおける、表示する表示セル数を算出する（ステップS１１、S１２）。【００８０】
このように算出された表示を行う表示セル数により、各表示ライン負荷ブロックを、以下のブロックのいずれかに分類する（ステップＳ１３）。
Aブロック：２５％未満（Ｐ<1024Ｘ3×1/4＝768セル）；
Ｂブロック：25％〜50％（768≦Ｐ<1024Ｘ3×2/4＝1536セル）；
Ｃブロック：50〜75％（1536≦Ｐ<1024Ｘ3×3/4＝2304セル）；
Ｄブロック：75％以上（2304セル≦Ｐ）。
分類後、Ｄブロック、Ｃブロック、Ｂブロック、Ａブロックの順に走査を行うべく、表示ラインの走査順を決定する（ステップＳ１４）。この場合、各ブロックに分類された表示ラインの走査順は、そこに含まれる表示ラインの番号の若い順とする。すなわち、図３中、上側の表示ラインから順に走査するようにする。【００８１】
そしてデータメモリ部８１に対し、決定された走査順にしたがって表示データを出力するよう指示する。これを受けたデータメモリ部８１は格納されている表示ラインのデータを指示された走査順にしたがって表示データ制御部７１へ出力する（ステップＳ１５）。【００８２】
表示データ制御部７１はＹドライバ回路部５を通じ、決定された走査順にしたがってＹ電極に走査電圧を印加する。また表示データ制御部７１はこれに同期し、走査される表示ラインに対応する表示データにしたがってアドレスデータドライバ回路部３を駆動しアドレス電極にアドレス電圧を印加する。【００８３】
このようにして、上記走査順にしたがってプラズマディスプレイパネル２の表示ラインが順次アドレス駆動されることになる（ステップＳ１６）。【００８４】
図６の例の場合図５の例の場合と異なり、走査の順番が必ずしも最適とはならない場合がある。しかしながらこの方法でも実質的には図５の例の場合と同様の効果が得られる。図６の例では直接Ｙ電極を駆動する表示ラインＩＣブロックに対する負荷を分散させることが可能となる。その結果、電源変動／放熱等の効果が得られる。【００８５】
なお図６の例において、Ａ，Ｂ，Ｃ，Ｄの各ブロックに分類された表示ライン間の駆動順は上記の例、すなわちプラズマディスプレイパネル２の上から順、すなわちライン番号が若い順に限られない。たとえば走査制御方式の都合に合わせ、最も効率的な順序とすることが可能である。【００８６】
なお、上記本発明の実施例によるプラズマディスプレイパネルの駆動方法では表示ラインの表示に要する負荷を測定する際、該当するサブフレーム表示データに基づき、該当する表示ライン中の、表示を行う表示セルの数を算出することによって行う構成とされている。しかしながらこの例に限られず、以下の方法を採ることも可能である。【００８７】
すなわち、表示ラインの表示に要する負荷を測定する際、該当するサブフレームより前のサブフレームのサステイン期間における放電維持電流値を図３に示すＸ、Ｙドライバ回路部４，５に設けたセンサ４Ｓ，５Ｓにより表示ライン毎に検出し、同検出値に基づいて算出するように構成することが可能である。【００８８】
或いは各サブフレームにおける表示ラインのアドレス駆動の走査順を決定する際、当該サブフレームを含むフレーム全体の表示データから求めるよう構成することも可能である。この場合、フレーム全体の表示データ、すなわち画素データから各表示ラインの表示に要する負荷を求め、その結果に基づいて各サブフレームにおける表示ラインのアドレス駆動の走査順を決定することが可能である。【００８９】
また、図２、図７とともに説明した従来の駆動方式（「固定走査順序制御方式」と称する）、すなわち各サブフレームのアドレス期間における表示ラインのアドレス駆動を、プラズマディスプレイパネル２の上から順に行う方式を基本とし、図４，図８とともに説明した駆動方式（「負荷対応走査順序制御方式」と称する）、すなわち負荷の大きい表示ラインをより早くアドレス駆動する方式を適宜選択可能とする構成としても良い。【００９０】
この場合、図３に示す如くプラズマディスプレイパネル２の温度をセンサ２Ｓで検出し、同検出値が所定値以上の高温となった場合に自動的に負荷対応走査順序制御方式を適用する。【００９１】
図９はこの場合の制御方法を説明するための図である。【００９２】
Ｙライン負荷算出／走査順決定部８２はセンサ２Ｓの検出値、すなわちプラズマディスプレイパネル２の温度を監視し、その値が所定値を越えた場合（ステップＳ２１のＹｅｓ）、自動的に上記負荷対応走査順序制御方式を適用する。すなわち、図５または図６とともに上述の如くの制御により、プラズマディスプレイパネル２の表示ラインのアドレス駆動を、その負荷が大きいもの程早く行うように行う（ステップＳ２２）。【００９３】
他方ステップＳ２１の判定結果がＮｏの場合、すなわちプラズマディスプレイパネル２が高温とはなっていない場合には図２，図７とともに上述した固定走査順序制御方式にて表示ラインの走査順を決定し、アドレス駆動を行う(ステップＳ２３)。【００９４】
この構成とすることにより、プラズマディスプレイパネル２が高温となっていない状態では固定走査順序制御方式を適用する。その結果、簡易な制御方式を適用可能となる。他方プラズマディスプレイパネル２が高温の場合には負荷対応走査順序制御方式を適用する。その結果上記の如く表示ラインＩＣブロックに対する負荷の分散が可能となり、プラズマディスプレイパネル２の温度上昇を効果的に防止可能となる。
【産業上の利用分野】
【００９５】
上記実施例はプラズマディスプレイ装置に関するものであった。しかしながら本発明の実施例はこれに限られず、上記ＥＬパネル等、様々な平面型の画像表示装置に適用可能である。
【図１】
2007099600.tif 000003
【図２】
2007099600.tif 000004
【図３】
2007099600.tif 000005
【図４】
2007099600.tif 000006
【図５】
2007099600.tif 000007
【図６】
2007099600.tif 000008
【図７】
2007099600.tif 000009
【図８】
2007099600.tif 000010
【図９】
2007099600.tif 000011
【国際調査報告】
2007099600.tif 000012
2007099600.tif 000013
2007099600.tif 000014
2007099600.tif 000015